(57)【特許請求の範囲】
【請求項１】
高温の排ガスが導入されるガス導入室の内部空間を跨ぐように架設されるセラミックフィルターの一端部を押圧する押圧手段と、前記セラミックフィルターの他端部を支持する支持手段を備えるガスフィルター支持装置であって、
前記押圧手段は、エアシリンダーと、このエアシリンダーからの押圧力を前記セラミックフィルターの一端部に伝達するとともに、そのセラミックフィルターを前記支持手段に向けて押圧する押圧力伝達部材を備えることを特徴とするガスフィルター支持装置。
【請求項２】
前記押圧力伝達部材は、逆洗用の圧縮空気を噴出する逆洗空気噴出管を兼ねる請求項１に記載のガスフィルター支持装置。
【請求項３】
高温の排ガスが導入されるガス導入室の内部空間を跨ぐように架設されるセラミックフィルターの一端部を押圧する押圧手段と、前記セラミックフィルターの他端部を支持する支持手段を備えるガスフィルター支持装置であって、
前記支持手段は、前記ガス導入室の壁体に穿設される貫通孔の内周部に固着されるとともに、前記セラミックフィルターの他端部が挿入される開口部を有する雌型支持部材と、前記セラミックフィルターの他端部端面に対向配置され前記雌型支持部材に螺合される雄型支持部材と、この雄型支持部材と前記セラミックフィルターの他端部端面との間に配される第１ガスケットと、前記雌型支持部材と雄型支持部材の対向面間に配される第２ガスケットを備えることを特徴とするガスフィルター支持装置。
【請求項４】
前記第２ガスケットは銅製のメタルパッキンである請求項３に記載のガスフィルター支持装置。
【発明の詳細な説明】
【０００１】
【発明の属する技術分野】
本発明は、廃棄物焼却炉、焼却灰の溶融炉等にて発生する高温の排ガスを除塵するセラミックフィルターを排ガス導入室の内部に支持するガスフィルター支持装置に関するものである。
【０００２】
【従来の技術】
従来、廃棄物焼却炉や焼却灰の溶融炉等から発生するダストを含む排ガスを集塵する際には、主として電気集塵機もしくはバグフィルターが用いられてきた。しかし、近年ダイオキシンが再合成されるという指摘によって電気集塵機の使用が敬遠されており、バグフィルターが多用されるようになっている。ところが、このバグフィルターを集塵に用いる場合その耐熱性の限界を考慮にいれる必要があり、排ガスをバグフィルターに導入する前にその排ガスの温度を１５０℃〜２００℃に減温することが必要になる。
【０００３】
ところで、最近高温ガスに対しても適応可能なフィルターとして、耐熱性を有する多孔質性のセラミックフィルターが開発され実用化されている。このセラミックフィルターは固体で直径１０〜２０μｍの貫通孔を持ち、この中に排ガスを通過させることによってその排ガス中のダストを濾過して除去するもので、その形状としては、棒状、平板状など任意のものを製造することが可能である。
【０００４】
そこで、このようなセラミックフィルターを用いて高温排ガス中のダストを除去するガスフィルター装置が開発され、本出願人らによって特開２００１−１７９０２４号公報で提案されている。
【０００５】
図４に、先出願のガスフィルター装置の水平断面図（ａ）および外形（左半分）ならびに垂直断面図（右半分）（ｂ）が示され、図５に図４の要部断面図（Ｒ部拡大断面図）が示されている。
【０００６】
この先出願のガスフィルター装置１００は、図４で示されるように、円筒状の胴部を有する外筒１０１とその外筒１０１の内側で同心円上に設けられる内筒１０２とを有するケーシング１０３を備えている。このケーシング１０３には、外筒１０１と内筒１０２とに囲まれた内部空間を画成するために、上部に蓋体１０４が、下部に断面逆三角形状の環状ホッパ１０５がそれぞれ設けられ、前記蓋体１０４の一部に排ガスを導入するガス導入口１０６が開口されている。同様に内筒１０２の内部空間を画成するために下部に蓋体１０７が設けられるともに、上部に清浄ガスを導出するガス導出口１０８が設けられている。なお、図示を省略されているが、前記環状ホッパ１０５の下部にはダスト搬出用のコンベア（例えばスクリューコンベア）が配されている。
【０００７】
前記外筒１０１と内筒１０２との間には複数個の円筒状（あるいは角筒状）のセラミックフィルター１１０が配されている。このセラミックフィルター１１０は、内筒１０２の中心軸を中心として水平方向にかつ放射状に、かつ上下方向に多段に配されている。
【０００８】
これらセラミックフィルター１１０は、図５に示されるように、一端部に逆洗空気吹き込み口１１１を備え、他端部がガス通過口１１２に繋がるようにされている。このセラミックフィルター１１０の装着固定部位には、外筒１０１の壁体に貫通孔１１３が穿設されるとともに、内筒１０２の壁体に、セラミックフィルター１１０の他端部が嵌合固定されるように構成されている。
【０００９】
このようにして配設されるセラミックフィルター１１０の逆洗空気吹き込み口１１１には、外筒１０１の外側面に沿って配管されるパルス管１２０から分岐される逆洗空気吹き込み管１２１がその先端を挿入されて配されている。この逆洗空気吹き込み管１２１の装着機構１２２は、外筒１０１の外壁面に設けられる呼び出し口１２３、この呼び出し口１２３のフランジ１２３'でボルト締結されているキャップ１２４、このキャップ１２４の内部で外筒１０１の壁体の貫通孔１１３からやや突出しているセラミックフィルター１１０の端面をシールするガスケット１２５を付勢するコイルバネ１２６から構成されており、前記逆洗空気吹き込み管１２１はキャップ１２４の中央部に貫通挿入されて、その先端がセラミックフィルター１１０の内部に臨むようにされている。なお、前記キャップ１２４の内部は、呼び出し口１２３とのフランジ部においてガスケット１２７によりシールされており、セラミックフィルター１１０の端部は、その突出部分の外周と呼び出し口１２３との間でグランドパッキン１２８によってシールされて、濾過されるガス並びに逆洗空気の漏出を防止するようにされている。また、セラミックフィルター１１０のガス通過口１１２側には、その通過面積を小さくして逆洗空気の通過を規制するガス通過抑制手段（オリフィス）１２９が設けられており、このオリフィス１２９とガス通過口１１２の大径部分の間には、ダストを含む排ガスの外筒１０１−内筒１０２間の流動を妨げるためのガスケット１３０が設けられている。
【００１０】
このように構成されているガスフィルター装置１００においては、ガス導入口１０６からダストを含む排ガスが導入されると、この排ガスは環状の内部空間で各セラミックフィルターの細孔を通ってそのセラミックフィルター１１０の内部に入り、ダストを濾過された清浄ガスとなってそのセラミックフィルター１１０の端部からガス通過口１１２および内筒１０２の内部空間を通ってガス導出口１０８から系外に排出される。その際ダストはセラミックフィルター１１０の外表面および細孔内に蓄積されるため、定期的にパルス管１２０から空気を送って逆洗し、ダストをセラミックフィルター１１０から払い落とす必要がある。こうして払い落とされたダストは環状内部空間の下部に配されている環状ホッパ１０５に溜り、ダスト搬出用のコンベアによって系外に排出される。
【００１１】
前記セラミックフィルター１１０の逆洗に際しては、パルス管１２０に圧縮空気を供給して、各セラミックフィルター１１０の逆洗空気吹き込み口１１１に配される逆洗空気吹き込み管１２１からフィルター内部に圧縮空気を噴出して逆洗を行わせる。
【００１２】
前記セラミックフィルター１１０には、前述のようにその開口部に通過面積が狭くされたオリフィス１２９が取り付けられており、このオリフィス１２９によってガス通過口１１２より内筒１０２内部へ流動する逆洗空気の流量が制限されている。そのため、セラミックフィルター１１０の一端が開放されているにもかかわらず、管内を外筒１０１の内部空間よりも高圧力状態に保つことになるので、逆洗空気は細孔を通って外筒１０１の内部空間に流れ出し、フィルターに付着したダストを払い落とし除去することができる。
【００１３】
【発明が解決しようとする課題】
このような構成のガスフィルター装置１００のセラミックフィルター１１０は、その端部に配される装着機構１２２内に配されるコイルバネ１２６によって付勢されて前記外筒１０１内に支持されている。そして、前記セラミックフィルター１１０にそのコイルバネ１２６の付勢力が十分に作用することによって初めて装着機構１２２内のガスケット１２５およびガス通過口１１２に配されたガスケット１３０のシール性能が十分に発揮されるようになっている。しかしながら、前記コイルバネ１２６は、セラミックフィルター１１０の端部の近傍に配されているため、セラミックフィルター１１０の管内あるいは外筒１０１より漏出した高温の排ガスに直接接触する可能性が極めて高く、長期間に渡って前記ガスケット１２５、１３０のシール性を発揮させることが困難であるという問題点がある。
【００１４】
一方、前記セラミックフィルター１１０の他端部の固定部に配されるガスケット１３０は、平面形成が困難な耐火物とセラミックフィルター１１０の端面とに挾着されているため、その挾着部とのなじみが悪く、更には高温に対して耐性が低い。そのため、長期間に渡ってシール性を発揮することが不可能である。
【００１５】
また、前記コイルバネ１２６は外部から遮断されているため、内部の高温排ガスによる腐蝕が起こりやすく、メンテナンスの点でも問題点がある。
【００１６】
本発明は、このような問題点を解消するためになされたもので、長期にわたってシール性を発揮することができ、さらにはメンテナンスが簡便なガスフィルター支持装置を提供することを目的とするものである。
【００１７】
【課題を解決するための手段および作用・効果】
前記目的を達成するために、第１発明によるガスフィルター支持装置は、
高温の排ガスが導入されるガス導入室の内部空間を跨ぐように架設されるセラミックフィルターの一端部を押圧する押圧手段と、前記セラミックフィルターの他端部を支持する支持手段を備えるガスフィルター支持装置であって、
前記押圧手段は、エアシリンダーと、このエアシリンダーからの押圧力を前記セラミックフィルターの一端部に伝達するとともに、そのセラミックフィルターを前記支持手段に向けて押圧する押圧力伝達部材を備えることを特徴とするものである。
【００１８】
本発明によるガスフィルター支持装置によれば、セラミックフィルターに対する押圧力の発生源であるエアシリンダーとセラミックフィルターとの間に、前記押圧力を伝達する押圧力伝達部材が配されている。言い換えれば、前記エアシリンダーはセラミックフィルターの端面より離れた個所に配されている。そのため、ガスフィルター装置より漏出した高温の排ガスに直接接触することがない。しがたって、長期間に渡って、前記セラミックフィルターを支持手段に向けて押圧するとともに、前記押圧力伝達部材とセラミックフィルターの一端部端面との間に配されるガスケットのシール性を維持することができる。
【００１９】
また、本発明においてはエアシリンダーが使用されているため、その押圧状態を外部から目視で確認することができ、メンテナンスにも簡便であるという利点もある。また、エアー圧力を可変にできるため、押圧状態の調整が容易である。
【００２０】
本発明において、前記押圧力伝達部材は、逆洗用の圧縮空気を噴出する逆洗空気噴出管を兼ねるのが好ましい（第２発明）。こうすることで、部品点数を減らして、装置構成の簡素化を図ることができる。
【００２１】
次に、第３発明によるガスフィルター支持装置は、
高温の排ガスが導入されるガス導入室の内部空間を跨ぐように架設されるセラミックフィルターの一端部を押圧する押圧手段と、前記セラミックフィルターの他端部を支持する支持手段を備えるガスフィルター支持装置であって、
前記支持手段は、前記ガス導入室の壁体に穿設される貫通孔の内周部に固着されるとともに、前記セラミックフィルターの他端部が挿入される開口部を有する雌型支持部材と、前記セラミックフィルターの他端部端面に対向配置され前記雌型支持部材に螺合される雄型支持部材と、この雄型支持部材と前記セラミックフィルターの他端部端面との間に配される第１ガスケットと、第２ガスケットを備えることを特徴とするものである。
【００２２】
本発明によれば、セラミックフィルターの他端部が、雌型支持部材とそれに螺合される雄型支持部材にて構成され、この雄型支持部材とセラミックフィルターの他端部との間に配される第１ガスケットと、前記雌型支持部材と雄型支持部材の対向面間に配される第２ガスケットによってセラミックフィルターの他端部端面がシールされて排ガスの流動が防止されている。このガスフィルター支持装置においては、雄型支持部材を雌型支持部材から容易に取り外せるため、第１ガスケットおよび第２ガスケットを簡単かつ迅速に交換することができ、メンテナンスの点で有利である。また、これら雌雄両支持部材を平面形成の容易な材料で形成することにより、その対向面間に配される第２ガスケットのシール性を向上させることができる。
【００２３】
前記第３発明における第２ガスケットは銅製のメタルパッキンであるのが好ましい（第４発明）。この第２ガスケットに高温で高い延性を示し、かつなじみ度が高い特性の銅を使用することで、高温条件下で長期間高い水準のシール力を維持し続けることができる。
【００２４】
【発明の実施の形態】
次に、本発明によるガスフィルター支持装置の具体的な実施の形態について図面を参照しつつ説明する。
【００２５】
図１に実施形態に係るガスフィルター装置の水平断面図（ａ）および外形（左半部）並びに垂直断面図（右半部）（ｂ）が図示され、図２に図１の要部拡大断面図（図１（ｂ）のＰ部拡大断面図）が、図３に図１の要部拡大断面図（図１（ｂ）のＱ部拡大断面図）がそれぞれ示されている。
【００２６】
本実施形態によるガスフィルター装置１は、円筒状の胴部を有し、耐火物で構成される外筒２とその外筒２の内部で同心円状に設けられる内筒３を有するケーシング４を備えている。このケーシング４の内外両筒２、３間内の環状の内部空間の上部には蓋体５が、下部には断面逆三角形状の環状ホッパ６がそれぞれ設けられており、内外両筒２、３間の環状の内部空間を画定するようにされている。また、前記蓋体５の一部には排ガスを導入するためのガス導入口７が設けられている。前記内筒３の内部空間の下部には蓋体８が、上部には除塵された排ガスを導出するためのガス導出口９がそれぞれ設けられており、内筒３の内部空間を画定するようにされている。
【００２７】
前記外筒２と内筒３との間の内部空間（本発明のガス導入室に相応）には複数個の筒状のセラミックフィルター１１が配されている。これらセラミックフィルター１１は、内筒３の中心軸を中心として水平方向に放射状に、かつ上下方向に多段に配されている。
【００２８】
これらセラミックフィルター１１の一端部の固定部は、図２で示されるように、一端の内径が前記セラミックフィルター１１の外径と略同径に形成され、他端の内径がそれよりやや大径に形成された段付き孔を有する鉄製の挿入固定部１２である。この挿入固定部１２は、前記段付き孔の大径部分１２'が外筒２の外部に臨むように前記外筒２に嵌合固定されている。前記セラミックフィルター１１の一端部は前記挿入固定部１２における段付き孔の小径部分１２"より挿入され、そのセラミックフィルター１１の端部の開口が外筒２の外側にやや突出するように配されて固定される。
【００２９】
この挿入固定部１２の段付き孔の大径部分１２'とセラミックフィルター１１の外周面との間には、繊維状のセラミックで形成されたセラミックパッキン１３が配される。このセラミックパッキン１３は弾性を備えており、押圧されることによってそのシール性能が変化するという特性を有している。
【００３０】
前記セラミックパッキン１３の外側には、そのセラミックパッキン１３を押圧する筒状部材１４が差し込まれている。この筒状部材１４は、一体形成されたフランジ部１４ａにおいて前記挿入固定部１２とボルト締結されている。この筒状部材１４は、前記セラミックパッキン１３の性能を良好に維持できるように、そのフランジ部１４ａに取着されるボルトの締結力が調整できるようにされている。
【００３１】
前記外筒２の外部にやや突出して固定されるセラミックフィルター１１の一端部には、セラミックフィルター１１を押圧して内外両筒２、３間の内部に支持するセラミックフィルター押圧装置１５（本発明の押圧手段に相当）が配されている。
【００３２】
このセラミックフィルター押圧装置１５は、その先端部が外筒２の外部にやや突出して配されるセラミックフィルター１１の一端部の開口よりそのフィルター１１の管内に挿入され、その管内に逆洗圧縮空気（逆洗空気）を噴出する逆洗空気噴出管１６と、この逆洗空気噴出管１６に取り付けられるとともに、押圧力を発生するエアシリンダー１７と、このエアシリンダー１７に取り付けられ、セラミックフィルター押圧装置１５全体を外部に固定する固定部１８より構成されている。
【００３３】
前記逆洗空気噴出管１６の先端部の近傍外周面には、直径がセラミックフィルターの外径と略等しくされたフランジ部１６ａが溶着されており、このフランジ部１６ａには肉厚の環状部材１６ｂが溶着されている。この環状部材１６ｂは、前記逆洗空気噴出管１６の先端部がセラミックフィルター１１の端部より管内に挿入された際に、そのセラミックフィルター１１の端面と密着するように機能する。このセラミックフィルター１１の端面と、逆洗空気噴出管１６のフランジ部１６ａに溶着された肉厚の環状部材１６ｂとの密着面には、セラミックフィルター１１管内の排ガスの漏出を防止するためのガスケット１９が配されている。なお、前記逆洗空気噴出管１６のフランジ部１６ａと、そのフランジ部１６ａに溶接された肉厚の環状部材１６は、一体に形成されたものでも良い。
【００３４】
また、前記逆洗空気噴出管１６の後端部（セラミックフィルターの管内に挿入される先端部の逆側）の近傍には逆洗用の圧縮空気を取り込むための圧縮空気取り込み口１６ｃが穿設されている。この逆洗空気取り込み口１６ｃは、外部に設けられている図示されないエアコンプレッサーに、図示されないフレキシブルチューブを介して接続されている。このエアコンプレッサーから定期的に圧縮空気が供給されることで、前記セラミックフィルター１１の管内に逆洗用の空気が噴出される。
【００３５】
前記逆洗空気噴出管１６に取り付けられているエアシリンダー１７には、エアーを取り込むためのエアー取り込み部材１７ａが備えられている。この取り込み部材１７ａは、外部の図示されないエアコンプレッサーと接続されており、このエアコンプレッサーより供給されたエアーは、前記エアシリンダー１７の内部に導入される。こうして、エアシリンダー１７からの押圧力は押圧部材２０を介して逆洗空気噴出管１６を押圧し、これによってセラミックフィルター１１が他端側（内筒３側）へ向けて押圧される。
【００３６】
なお、前記固定部１８は、例えばボールジョイント等を介して他の固定物に支持されている。これによって、前記エアシリンダー１７は、その軸線の向きが自由に動き得るようになっている。
【００３７】
一方、図３で示されるように、前記内筒３の胴部は鉄製の壁部材２１とこの壁部材２１の内面側に内張りされる耐火物２２によって構成されている。
【００３８】
前記セラミックフィルター１１の他端部は、前記内筒３の内部空間と、内外両筒間の内部空間を連通するように内筒３の壁部に穿設された連通孔２３の内周部に固着された鉄製の雌型支持部材２４の開口に挿入され、その雌型支持部材２４に内側（内筒３の内部空間側）より螺合されて固定される鉄製の雄型支持部材２５の端面によって受け止められて、前記内筒３に支持されている。この連通孔２３は、図３で示されるように、鉄製の壁部材２１に前記セラミックフィルター１１の外径よりやや幅広に穿設される孔と、壁部材２１の孔と同一軸線になるように、かつその壁部材２１の孔より幅広になるように前記耐火物２２に穿設された孔よりなる段付き孔である。
【００３９】
前記雌型支持部材２４は、その雌型支持部材２４の両端を貫通するように、かつ前記セラミックフィルター１１が挿入可能なように穿設された孔の、一端部開口から途中までの内周面がねじ切りされる雌ねじ部２４ａを有している。この雌型支持部材２４の雌ねじ部２４ａを設けた側と反対側の開口側の端面は、前記連通孔２３の内周部に露出する鉄製の壁部材２１に、その壁部材２１の孔の中心軸と雌型支持部材２４の孔の軸線とが一致するように溶着されており、その端面の開口が前記壁部材２１に穿設された孔を通して内外両筒２，３間の内部空間に臨むようにされている。一方、前記雌型支持部材２４に螺合される雄型支持部材２５は、ねじ切りされた雄ねじ部２５ａとフランジ状の頭部２５ｂより構成されるとともに、中心部に貫通孔２５ｃを有し、この雄型支持部材２５が前記雌型支持部材２４に螺合された際に、前記セラミックフィルター１１の管内に導入される除塵された排ガスがこの貫通孔２５ｃを通って、内筒３の内部空間に達するようにされている。
【００４０】
また、両支持部材２４、２５の対向面間（雌型支持部材２４の端面と、雄型支持部材２５の頭部２５ｂの間）には、高温で高い延性を示し、なじみ度が高い特性を示す銅で形成された銅製メタルパッキン２７（第２ガスケット）が配されており、前記セラミックフィルター１１の他端部が両支持部材２４、２５に配された際に、内外両筒２、３間内から内筒３の内部空間への排ガスの流動を防止される。
【００４１】
なお、前記セラミックフィルター１１の他端部端面には、セラミックフィルター１１の管内の圧力の急激な減少を防止するためのオリフィス板２８が取り付けられており、そのオリフィス板２８と、雄型支持部材２５の端面にはフィルター１１管内のガスの漏出を防止するためのガスケット２９（第１ガスケット）が配されている。
【００４２】
前記セラミックフィルター押圧装置１５のエアシリンダー１７には、外部のエアコンプレッサーからエアーが供給されて、常に押圧力を発生するようにされている。このエアシリンダー１７より発生する押圧力は、押圧部材２０および、逆洗空気噴出管１６のフランジ部１６ａに取り付けられた肉厚の環状部材１６ｂを介して、セラミックフィルター１１を他端側（内筒３側）に押圧する。この際、前記環状部材１６ｂとセラミックフィルター１１の一端部端面との間に配されるガスケット１９、および、セラミックフィルター１１の他端部端面と雄型支持部材２４の端面との間に配されるガスケット２９に対しても十分な押圧力が付与される。こうして、ガスケット１９、２９それぞれのシール性が発揮される。
【００４３】
本実施形態に係るセラミックフィルター押圧装置１５によれば、押圧力の発生源であるエアシリンダー１７が、セラミックフィルター１１に直接取り付けられておらず、押圧部材２０および前記逆洗空気噴出管１６を介して間接的に取り付けられている。言い換えると、前記エアシリンダー１７はセラミックフィルター１１の取り付け部（挿入固定部１２）または端部開口より、ある程度離れた個所に配されている。そのため、前記ガス導入口７より内外両筒２、３間に導入された高温の排ガスがセラミックフィルター１１の取り付け部または開口部よりガスフィルター装置１の外部に漏出した場合であっても、前記エアシリンダー１７にその排ガスが直接接触することがない。このため、セラミックフィルター１１への押圧力を長期にわたって維持して、このセラミックフィルター１１を内外両筒２，３間の内部空間に確実に支持することができ、同時に、逆洗空気噴出管１６の環状部材１６ｂとセラミックフィルター１１の一端部との間に配されているガスケット１９および、セラミックフィルター１１の他端部と前述の雄型支持部材２５の端部との間に配されるガスケット２９のシール性を長期にわたって発揮させることができる。
【００４４】
また、セラミックフィルター１１を押圧する手段として、エアシリンダー１７が用いられているので、その押圧の状態を目視によって容易に行うことができ、異常が生じた際の迅速な交換が可能である。このように、メンテナンスの点でも優れている。また、エアシリンダー１７のエア圧を可変にできるため、押圧状態の調整が容易である。
【００４５】
また、前記セラミックフィルター押圧装置１５の固定部１８は、ボールジョイント等によって外部に固定されて、ある程度の自由な動きが可能にされているため、セラミックフィルター１１に軸線のズレが生じた場合であってもその軸線のズレに対応することができる。こうして、このセラミックフィルター１１に軸線のズレが生じた場合であっても、十分な押圧力をこのセラミックフィルター１１および、ガスケット１９、２９に付与し、それらのシール力を維持することができる。
【００４６】
また、本実施形態においては、雌型支持部材２４と雄型支持部材２５の間に、高温で高い延性を発揮し、なじみ度が高いという特性を示す銅製メタルパッキン２７が配されているため、高温条件下で優れたシール性を長期間に渡って発揮することができ、内筒３の内部空間への除塵されない排ガスの漏出を抑制することができる。
【００４７】
また、雄型支持部材２５を雌型支持部材２４よりの取り外すことで、前記セラミックフィルター１１、銅製メタルパッキン２７の交換を簡便に行うことができ、メンテナンスの点で有利である。
【００４８】
本実施形態においては、前述の両支持部材２４、２５が内筒３の壁体に穿たれた連通孔２３内に固着されるものについて説明したが、前記雌型支持部材２４を外筒３の壁部に取り付け、その雌型支持部材２４に軸線が中空にされない雄型支持部材を螺合し、その対向面間に銅製メタルパッキン２７を配したものを用いることで外壁２側におけるセラミックフィルター１１の支持手段とすることができる。このようにされた場合であっても、長期間シール性が維持されることは言うまでもない。
【００４９】
また、ボイラー水管が埋設されて内部を冷却可能にされた内筒においても、このボイラー水管に雌型支持部材２４を溶着し、その雌型支持部材２４に雄型支持部材２５を螺合することにより、長期間のシール性の維持と、メンテナンスの簡便さを発揮することができる。
【００５０】
また、本実施形態では、ケーシング４の外部より逆洗空気を噴出するものについて説明したが、ケーシング４の壁体とエアシリンダー１７とがある程度離されているならば内筒３の内部より逆洗空気を噴出する構造のものであっても良い。
【図面の簡単な説明】
【図１】図１は、本発明の一実施形態に係るガスフィルター装置の水平断面図(ａ)および外形（左半部）並びに垂直断面図（右半部）（ｂ）である。
【図２】図２は、図１の部分拡大断面図（図１（ｂ）のＰ部拡大断面図）である。
【図３】図３は、図１の部分拡大断面図（図１（ｂ）のＱ部拡大断面図）である。
【図４】図４は、従来のガスフィルター装置を示す水平断面図（ａ）および外形（左半部）並びに垂直断面図（右半部）（ｂ）である。
【図５】図５は、図４の部分拡大断面図である（図４（ｂ）のＲ部拡大断面図）
【符号の説明】
１                  ガスフィルター装置
２                  外筒
３                  内筒
４                  ケーシング
１１                セラミックフィルター
１５                セラミックフィルター押圧装置
１６                逆洗空気噴出管
１７                エアシリンダー
１９、２９          ガスケット
２０                押圧部材
２４                雌型支持部材
２５                雄型支持部材
２７                銅製メタルパッキン
【図１】
0003804779.tif 000002
【図２】
0003804779.tif 000003
【図３】
0003804779.tif 000004
【図４】
0003804779.tif 000005
【図５】
0003804779.tif 000006